(57)【要約】セキュリティ機能として役立ち且つ昼光背面照明で見ると証書、特にカード形式の基体に像情報を示す穿孔パターンの真偽を検査する方法であって、基体の表側及び裏側が規定波長の光の入射光の下で穿孔パターンの領域で目視され、その場合穿孔パターンに固有の像が表側に現れ、その裏側には穿孔パターンの領域に対応する範囲は特定されない態様でのみ現れる。【選択図】図１
2004512605.tif 000002
【特許請求の範囲】
【請求項１】
セキュリティ機能として役立ち、且つ、昼光背面照明で見ると、証書、特にカード形の証書、の基体に像情報を示す穿孔パターンを検査する方法であって、
基体の表側及び裏側の両方が、規定波長の光の入射光の下で、穿孔パターンの領域において目視され、
その場合に、穿孔パターンに固有の像が表側に現れ、一方、
その裏側には、穿孔パターンの領域に対応する範囲が、不特定の態様でのみ現れることを特徴とする方法。
【請求項２】
昼光背面照明での目視が、基体の表側から及び裏側からの両方で行われ、像情報は両方の場合に目視できなければならないことを特徴とする前記請求項の何れかに記載の方法。
【請求項３】
目視は昼光背面照明および／または規定波長の光での入射光の下で、裸眼で行なわれることを特徴とする前記請求項の何れかに記載の方法。
【請求項４】
入射光の波長は１０ｎｍ乃至５００ｎｍ、特に１００ｎｍ乃至４００ｎｍであり、特に広帯域の紫外光であることを特徴とする前記請求項の何れかに記載の方法。
【請求項５】
裏側では穿孔パターンの開口は全て同じ寸法であり、特に互いに規則的に配置されるが、表側では開口は様々な寸法のものであることを特徴とする前記請求項の何れかに記載の方法。
【請求項６】
表側の開口の直径は２０μｍ乃至１４０μｍであることを特徴とする前記請求項の何れかに記載の方法。
【請求項７】
穿孔がレーザ光により焼かれたものであることを特徴とする前記請求項の何れかに記載の方法。
【請求項８】
基体がプラスチック材料、特に熱硬化性プラスチック材料、特にポリカーボネートであることを特徴とする前記請求項の何れかに記載の方法。
【請求項９】
基体の厚さが０．１乃至１．０ミリメートルであることを特徴とする前記請求項の何れかに記載の方法。
【請求項１０】
穿孔における燃焼に使用されるレーザ光の波長は６μｍ乃至１２μｍであることを特徴とする前記請求項の何れかに記載の方法。
【請求項１１】
表側の開口の直径が、使用される入射光の波長の１００倍乃至５００倍であることを特徴とする前記請求項の何れかに記載の方法。
【請求項１２】
基体の厚さが、使用される入射光の波長の少なくとも３０万倍であることを特徴とする前記請求項の何れかに記載の方法。
【請求項１３】
穿孔における燃焼に使用されるレーザ光の波長が、使用される入射光の波長の１０倍乃至７０倍、特に２０倍乃至４０倍であることを特徴とする前記請求項の何れかに記載の方法。
【発明の詳細な説明】
【０００１】
Ｉ．　使用分野
この発明はセキュリティ機能を検査する方法に関する。
【０００２】
ＩＩ．　技術的背景
紙幣、通行証、プラスチックカード、例えば支払いカード、のような証書に、穿孔パターンの形式のセキュリティ機能を組み込むことはＷＯ ９８／１９８６９により知られている。その場合、複数個の穿孔が併置関係に広範囲に適用される。
【０００３】
それについて、穿孔の直径、すなわち、外側の一方における穿孔の開口、を制御することにより、又は開口の間隔により、すなわち、表面における開口の分布により、広範囲の二次元像を作ることが試みられている。ＷＯ ００／４３２１６によれば、それは目視側に全く到達しない止まり穴が含まれるときでも可能である。
【０００４】
実際にはその方法は、レーザ光により相互に並列関係に、証書、すなわち基体、の裏側から焼いて、規則的又は不規則的なラスター形態で穿孔を設けることにより実施される。従って、裏側の穿孔の開口はすべて同じ寸法であるが、表側の対応穿孔の開口はそうではない。
【０００５】
従って、表側を背面照明、例えば昼光で目視すると、表側の開口の寸法の変化により、階調（ｇｒａｙ ｓｃａｌｅｓ）の像を見ることができる。
【０００６】
この像は、数字、文字、記号、又は、例えば顔の、画像を含んでもよい。
【０００７】
表側の開口の様々な直径は、レーザ光の作用に基体が曝される期間を開口の所望直径に従って変化させることにより得られる。
【０００８】
レーザ光線は、裏側から基体内にだんだんと焼け込みながら、結局、非常によく集束されるのではあるが、レーザ光線の横断面内におけるエネルギのガウス分布に起因して、また、基体貫通後に少なくともレーザ光線の作用継続期間がなお実質的に延びない限り、このレーザ光線は少なくとも最深域において円錐形状をなす穴を形成する。その円錐度は入射点の上流に配置されたレーザ光線整形用の適当な光学システムにより増加又は減少され得る。
【０００９】
なぜなら、基体貫通後に、焼込路（ｂｕｒｎｔ ｐａｓｓａｇｅ）はレーザ光線の全幅まで拡大され、またこれが達成された後においてのみ、出口側の開口が入口側の開口と寸法がほぼ等しくなるからである。
【００１０】
これは出口側、すなわち、証書の表側、の開口の寸法に影響を及ぼすためには、厳密に言えば望まれないから、基体の貫通開口は縦断面で考えると僅かに円錐形である。
【００１１】
なお、レーザ光による熱の発生により、特にレーザ光の出口側の開口の縁は、少なくとも、含まれる材料がプラスチック材料のような比較的に軟質である限りにおいて、丸みをおびる。
【００１２】
穿孔パターンを構成する孔の円錐形状により、所期の像は、上記特許出願における主張とは対照的に、背面照明モードで考慮すると、基体が目視される側に拘らず確認できる。
【００１３】
このことは、実際には開口が相互並置関係に規則的に又は不規則に配置され且つ同じ直径である裏側から目視したときでさえも、これを通過する光の量はそれにも拘らず反対側、すなわち表側の開口の寸法により決まるという事実による。
【００１４】
それゆえに、所期の像の効果は両側からの目視において確認され得る。しかし、かかるセキュリティ機能は比較的に容易に出し抜かれる。すなわち、例えば、対応する穿孔パターンは、一種のミシンにより例えば異なる太さの二本の針を用いて、或いはまた少なくとも前方域が円錐形である同一の一本の針により、また同時に針の係合深さを制御することにより、作ることできる。
【００１５】
ＩＩＩ． 発明の説明
ａ） 技術的目的
よって本発明の目的は、このようなセキュリティ機能の真偽を検査する方法を提供することにある。
【００１６】
ｂ） 目的の達成
その目的は請求項１の特徴により達成される。有利な実施形態は従属請求項に記載されている。
【００１７】
規定の波長の光、例えば紫外光、の入射光モードでの穿孔パターンの任意的追加の検査とは、非常に簡単な助け、例えば紫外線ランプ、だけで、表側と裏側において完全に異なる像効果を検出できることを意味する。
【００１８】
穿孔パターン又は止まり穴パターンの全部の反射面が像の階調に応じて異なる程度に反射する限りにおいて、所望の像効果が表側では明瞭に確認され得る一方、裏側からは、均等に反射する面のみが穿孔パターンの領域に確認される。
【００１９】
その効果は、穴あけによる穿孔では達成できない。
【００２０】
この、程度の異なる反射は、紫外光の干渉に起因するものであり、特に開口の縁部領域、及び穿孔パターンの貫通開口の始端の周辺域での反射現象により生じる。
【００２１】
セキュリティ機能を検査するには一般に第１セキュリティステップは昼光による光検査を含む。
【００２２】
しかし、入射光目視を第１検査操作として規定波長の光により直接行なうのであれば、昼光による透照診断法（ｔｒａｎｓｉｌｌｕｍｉｎａｔｉｏｎ）は、追加的に証書の両側からも行なうのが奨励されるが、その理由は二つの検査手順の組み合わせにより強化されたレベルのセキュリティが達成され得るからである。
【００２３】
両方の場合において、目視は裸眼により行なわれ、規定の波長の光、すなわち、例えば紫外光、による照明以外に、その目的のための助けは必要とされない。
【００２４】
ｃ） 実施の形態
本発明による実施の形態を図面について以下に詳述する。
【００２５】
図１は基体の横断面図、図２は紫外光で照明された基体の平面図である。
【００２６】
図１は基体１の横断面図であり、詳細には穿孔４を形成する孔４ａ、ｂ、ｃ・・・の縦軸線に沿う図である。
【００２７】
孔４は全て、上向きに配置された裏側３から基体１へ導入される。その点で、孔４ａは、レーザ光線による露出時間の経過につれて、レーザ光線内のエネルギ分布により、少なくとも各最深部が円錐形状をなす止まり穴がどのように作られるかを示す。
【００２８】
対応する態様で、裏側３に対して逆側にある表側２に貫通する場合、その出口側の開口は入口側におけるよりも直径が実質的に小さい。
【００２９】
基体１を完全に貫く孔４ｂは、出口側の開口、例えば５ｂが孔の入口側におけるよりも明確に小さい貫通孔をそのように形成することが可能であるのを示す。
【００３０】
もし出口側、すなわち表側２がそのように貫通された後に、今行なわれたように、レーザ光線の作用が長期間継続するならば、そのように出口側の開口が漸次拡大されて遂に、孔４ｃの場合に示すように、出口側では孔は入口側の開口の直径と実際上同じになる。
【００３１】
図は、同じ方法ではあるが、例えば孔４ｂを持つ構造と比較して、すなわち反対側に位置する出口側を貫通するものと比較して、レーザ光線の作用期間のみを少なくすることで、止まり穴を形成することも可能であることを孔４ｄにより示す。
【００３２】
この場合、止まり穴４ｄの底は、やはり横断面が孔４ｄの入口側の開口よりも際立って小さい。
【００３３】
図１は、その表側２が紫外光９（その入射角は実質的に自由に選択できるが、表側２に対する角度が１０度以上、好ましくは４０度以上である）により照射されるとき、光は、特に開口５の縁６、更には孔４の内周壁において、開口の近くの区域で反射され且つ拡散状に散乱されるのを示す。
【００３４】
従って、紫外光９による照射中に表側２を目視するとき、観測者は各開口５ｂ、ｃをそれぞれの開口の直径に対応する直径の光点７ａ，ｂとして知覚する。
【００３５】
その状況において、開口５はリングを示すが、光点７はその全域にわたり光って見える。光点の直径は特にそれぞれの開口の直径よりも僅かに大きいが、このことは特に縁６の領域での紫外光の拡散放射に起因する。
【００３６】
図２に示すように、一般にラスタグリッド８に沿って規則的に配置されるが不規則に分布した面状光点は、他の面よりも大きい割合の光輝面を有するその面が、他の面と対照をなす限りにおいて、面の効果を生じ得る。
【００３７】
例えば光点が正規ラスタグリッド８に沿って配置される場合、その効果は、ラスタグリッド８の交点に配置した大きい光点により形成される明るく輝く面により生み出される。
【００３８】
より小さい光点７ｂがラスタグリッド８の交点に配置された場合、そのように覆われた面は輝きが少ない。そのように大きさが異なる丁度二つの開口５ｂ、５ｃ、従ってまた大きさの異なる光点７ａ、ｂは、コントラストが白黒写真のそれに対応する像を形成することを既に可能にしている。
【００３９】
開口の寸法が２段階より多く変化し得るから、階調表示を提供することも可能である。
【００４０】
尚、目視されている表側２ｂまでは基体を貫通しない孔４ｂのような止まり穴は、それにも拘らず、残部厚さ１１が紫外光が通過するよう十分に薄い限りにおいて、紫外光により目視できるようにすることも可能である。
【図面の簡単な説明】
【図１】
基体の横断面図である。
【図２】
紫外光で照明された基体の平面図である。
【符号の説明】
１　　　　　基体
２　　　　　表側
３　　　　　裏側
４　　　　　穿孔
５　　　　　開口
６　　　　　縁
７　　　　　光点
８　　　　　ラスタグリッド
９　　　　　紫外光
１１　　　　残部厚さ
【図１】
2004512605.tif 000003
【図２】
2004512605.tif 000004
【国際公開パンフレット】
2004512605.tif 000005
2004512605.tif 000006
2004512605.tif 000007
2004512605.tif 000008
2004512605.tif 000009
2004512605.tif 000010
2004512605.tif 000011
2004512605.tif 000012
2004512605.tif 000013
2004512605.tif 000014
2004512605.tif 000015
2004512605.tif 000016
2004512605.tif 000017
2004512605.tif 000018
【国際調査報告】
2004512605.tif 000019
2004512605.tif 000020
2004512605.tif 000021
2004512605.tif 000022
2004512605.tif 000023
2004512605.tif 000024